【事件の表示】
　平成　５年特許願第３５１７６４号「弾球遊技機」拒絶査定不服審判事件〔平成　７年　８月　１日出願公開、特開平　７−１９４８０７〕について、次のとおり審決する。
【結　論】
　本件審判の請求は、成り立たない。
【理　由】
１．手続の経緯
　本願は、平成５年１２月２９日の出願であって、平成１５年７月１６日付けで拒絶査定がなされ、これに対し、平成１５年８月２５日に拒絶査定に対する審判請求がなされるとともに明細書に係る手続補正がなされたものである。
　　　　　
２．本願発明
　本願の請求項１に係る発明（以下、「本願発明」という。）は、平成１５年８月２５日付けの手続補正によって補正された明細書の特許請求の範囲の請求項１に記載された以下のとおりのものである。
「ガイドレールで囲まれた遊技部内には、複数の一般入賞口と、始動口と、打球の受け入れ状態を変動可能な変動入賞装置と、この変動入賞装置内に配置された継続入賞口と、複数の図柄の組合せによる特別遊技を行わせる画像表示装置と、前記始動口への打球の入賞を条件に、特別遊技を開始させ、画像表示装置に複数の図柄を変動表示させ、その後、複数の変動図柄を順次、停止表示させ、停止表示された複数の停止図柄が予め設定された当り図柄の組合せに一致した場合には、前記変動入賞装置を遊技者に有利な状態に変動し、大当り遊技を開始させるとともに、この大当り遊技を前記継続入賞口への打球の入賞を条件に所定回数継続させる電気的制御装置とを備えた弾球遊技機において、
　上記電気的制御装置には、リーチ状態の発生回数を記憶するためのリーチ回数記憶手段と、大当り図柄が発生した回数を記憶するための大当り回数記憶手段と、リーチ回数記憶手段に記憶されたリーチ状態の発生回数と大当り回数記憶手段に記憶された大当りの発生回数との割合を演算する大当り達成割合演算手段とを備え、
　前記画像表示装置には、大当たりが発生した場合に、前記大当り達成割合演算手段による演算結果を表示するとともに、表示した演算結果に基づく表示内容の解説を表示する大当り達成割合表示画面を備えたことを特徴とする弾球遊技機。」
　　　　
３．引用発明
　i．原査定の拒絶理由に引用された、本願の出願前に国内において頒布された刊行物である特開平４−３４３８７４号公報（以下、「引用例」という。）には、以下の事項が記載されている。
【請求項１】始動入賞孔へのパチンコ玉の入賞を契機として入賞率を極端に高めた特賞状態を所定の確率で呈する構成のパチンコゲーム機に用いられるものであって、前記始動入賞孔への入賞回数を計数する計数手段と、この計数手段の計数結果を前記特賞状態の発生ごとに初期化する初期化手段と、前記計数手段の計数結果を表示する表示手段とを備えたことを特徴とするパチンコゲーム機用表示装置。
【０００３】【発明が解決しようとする課題】ルーレットにおいて各桁が特定の組合わせで動作停止する状態は所定の確率で現れるものであり、従って、遊技者側において、遊技を行うパチンコゲーム機を選択する際には、ルーレットの動作履歴、特には前回の特賞状態終了後におけるルーレットの動作回数（つまり始動入賞孔への入賞回数）の如何が遊技者にとって大きな目安となり、また、斯様なルーレットの動作履歴を知ることが、パチンコゲーム機での遊技の興趣を高めることにも繋がる。しかしながら、従来では、上述のようなルーレットの動作履歴を表示することには関心が払われておらず、遊技者にとって不便な構成となっていた。
【０００４】本発明は上記事情に鑑みてなされたものであり、その目的は、特賞状態発生の契機となる始動入賞孔への入賞回数を特賞状態の終了ごとに区分して表示することができて、遊技者側の利便性並びに遊技に対する興趣を向上させ得るなどの効果を奏するパチンコゲーム機用表示装置を提供するにある。
【０００８】図３において、パチンコゲーム機１は、その上皿２内のパチンコ玉を電動式の玉発射機構３を通じて盤面４へ発射することにより遊技を行う構成となっている。上記盤面４には、アウト口４ａの他に３個の数字列ドラムを備えたルーレット５、通常入賞孔６、電気役物７ａを備えた特賞用入賞孔７、始動入賞孔８が設けられている。
【０００９】この場合、ルーレット５は、始動入賞孔８にパチンコ玉が入賞するのに応じて動作開始されると共に、この後に一定時間ΔＴが経過したときに動作停止されるものであり、停止時における各数字列ドラムの組合わせが所定の特賞開始条件となったとき(例えば、各数字列ドラムの数字が特定値に揃ったとき)に特賞状態を呈して特賞信号Ｓｆを出力する構成となっており、斯かる特賞状態では電気役物７ａが動作されて特賞用入賞孔７に対する入賞率が極端に高くなる。
【００１０】　また、ルーレット５は、まず２列分の数字列ドラムが停止した後に、所定の遅れ時間が経過したときに残りの数字列ドラムが停止するように構成されており、２列分の数字列ドラムが停止した時点で、それらの数字が双方とも前記特定値であった場合には、所謂リーチ状態を示すリーチ信号Ｓｒを出力するようになっている。尚、ルーレット５における各数字列ドラムは、実際には、７セグメント形の表示用発行ダイオードにより代用される。
【００３３】しかして、以上のように構成された呼出ランプユニット１０が設けられた結果、パチンコゲーム機１における特賞状態の発生の契機となる始動入賞孔８への入賞回数が、特賞回数表示部１４に特賞状態の終了ごとに区分して表示されるようになると共に、始動入賞孔８への入賞に応じたルーレット５の動作により当該ルーレット５がリーチ状態を呈した回数が、リーチ回数表示部１２に特賞状態の終了ごとに区分して表示されるようになる。従って、遊技者側においては、上記のような表示に基づいて前回の特賞状態終了後におけるルーレット５の動作履歴を容易に把握できるようになり、遊技を行うパチンコゲーム機を選択する際に非常に便利になる。
【００３４】　図４乃至図６には本発明の第２実施例が示されており、以下これについて前記第１実施例と異なる部分のみ説明する。
【００３５】即ち、この実施例は、第１実施例における呼び出しランプユニット１０の表示機能をパチンコゲーム機１に組み込んだことを特徴とするものであり、図６に示すように、パチンコゲーム機１の前面側上部には、リーチ回数表示部３９、表示手段たるスタート回数表示部４０、特賞回数表示部４１が一列状に設けられている。
【００３６】　図４にはパチンコゲーム機１の電気的構成のうち本発明の要旨に関係した部分が示されており、以下これについて説明する。
【００３７】　即ち、図３において、入賞検知スイッチ６ａ、７ａ、８ａは、パチンコゲーム機１の通常入賞孔６、特賞用入賞孔７、始動入賞孔８に対応して設けられており、対応する入賞孔へパチンコ玉が入賞するのに応じて夫々検知パルスＰ1 、Ｐ2 、Ｐ3 を発生するようになっている。また、ルーレット５は、特賞信号Ｓｆ、リーチ信号Ｓｒの他に、その動作期間中を通じて動作中信号Ｓｄを連続的に出力する構成となっている。
【００３８】　上記検知パルスＰ1 、Ｐ2 、Ｐ3 及びルーレット５からの特賞信号Ｓｆ、リーチ信号Ｓｒ、動作中信号Ｓｄを入力回路４４を介して受ける制御回路４５は、マイクロコンピュータを含んで構成されて本発明でいうところの計数手段及び初期化手段の機能を備えたもので、上記入力信号及び予め記憶したプログラムに基づいて、前記リーチ回数表示部３９、スタート回数表示部４０、特賞回数表示部４１、特賞表示ランプ４２、スタート表示ランプ４３の表示制御、並びにパチンコゲーム機１に設けられた賞球放出機構４６、玉発射機構３の駆動制御を、ドライバ４７を通じて行うようになっている。
【００４０】　即ち、図４において、制御回路４５は、検知パルスＰ3 の入力状態（つまり始動入賞孔８への入賞状態）、並びに特賞信号Ｓｆの入力状態を判断し（ステップＡ１、Ａ２）、検知パルスＰ3 が入力されたときには、スタート表示ランプ４３の点滅を開始させると共に、自身が有するスタート回数用の内部カウンタの計数値ＳＮ（初期値は零）を「１」だけインクリメントし（ステップＡ３、Ａ４）、その内部カウンタの計数値ＳＮを始動入賞孔８への入賞回数を示すデータとしてスタート回数表示部４０に表示する（ステップＡ５）。
【００４１】　次いで、制御回路４５は、リーチ信号Ｓｒが入力されるまで、若しくは動作信号Ｓｄの入力が停止されるまで待機するループを形成し（ステップＡ６、Ａ７）、リーチ信号Ｓｒが入力されたときには、自身が有するリーチ回数用の内部カウンタの計数値ＲＮ（初期値は零）を「１」だけインクリメントし（ステップＡ８）、その内部カウンタの計数値ＲＮをルーレット５でのリーチ状態の発生回数を示すデータとしてリーチ回数表示部３９に表示し（ステップＡ９）、この後に上記待機ループ（ステップＡ６、Ａ７）へ戻る。
【００４３】　制御回路４５は、特賞信号Ｓｆが入力されたとき（ステップＡ２で「ＹＥＳ」）には、特賞表示ランプ４２の点滅を開始させると共に、自身が有する特賞回数用の内部カウンタの計数値ＦＮ（初期値は零）を「１」だけインクリメントし（ステップＡ１１、Ａ１２）、その内部カウンタの計数値ＦＮをパチンコゲーム機１での特賞状態の発生回数を示すデータとして特賞回数表示部４１に表示する（ステップＡ１３）。
【００４４】　この後、制御回路４５は、特賞信号Ｓｆが入力停止されるまで待機し（ステップＡ１４）、パチンコゲーム機１での特賞状態の終了に伴い特賞信号Ｓｆが入力停止されたときには、特賞表示ランプ４２を消灯させ（ステップＡ１５）、この後に前記リーチ回数用の内部カウンタの計数値ＲＮ及びスタート回数用の内部カウンタの計数値ＳＮを初期化するステップＡ１６及びＡ１７、並びにこのような初期化に応じて前記リーチ回数表示部３９及びスタート回数表示部４０の表示を初期値である零に戻すステップＡ１８及びＡ１９を実行した後にステップＡ１へ戻る。
【００４５】　以上のような制御回路４５による制御内容を要約すると次のようになる。
【００４６】　(1)…パチンコゲーム機１の始動入賞孔８へパチンコ玉が入賞するごとにスタート表示ランプ４３を点滅させると共に、スタート回数表示部４０の表示を「１」ずつ増加させる。また、ルーレット５が動作停止されたときには、上記スタート表示ランプ４３の点滅を停止させる。
【００４７】　(2)…始動入賞孔８への入賞に応じたルーレット５の動作時に、そのルーレット５がリーチ状態になったときには、その都度ごとにリーチ回数表示部３９の表示を「１」ずつ増加させる。
【００４８】　(3)…パチンコゲーム機１が特賞状態となったときには、特賞表示ランプ４を点滅させると共に、特賞回数表示部４１の表示を「１」ずつ増加させる。また、特賞状態が終了したときには、上記特賞表示ランプ４２の点滅を停止させると共に、リーチ回数表示部３９及びスタート回数表示部４０の表示を初期化する。
【００４９】　従って、本実施例によっても、始動入賞孔８への入賞回数が特賞回数表示部４１に特賞状態の終了ごとに区分して表示されるようになると共に、ルーレット５の動作により当該ルーレット５がリーチ状態を呈した回数がリーチ回数表示部１２に特賞状態の終了ごとに区分して表示されるようになるから、前記第１実施例と同様の効果を奏することができる。
【００５１】【発明の効果】　本発明によれば以上の説明によって明らかなように、始動入賞孔へのパチンコ玉の入賞を契機として入賞率を極端に高めた特賞状態を所定の確率で呈する構成のパチンコゲーム機に用いられる表示装置において、上記始動入賞孔への入賞回数を特賞状態の終了ごとに区分して表示することができて、遊技者側の利便性並びに遊技に対する興趣を向上させ得るという優れた奏するものである。
　　　　
　ii．前記摘示の記載、及び図６にガイドレールで囲まれた盤面４が図示されていることからして、引用例には、以下の発明（以下、「引用発明」という。）が記載されているものと認められる。
「ガイドレールで囲まれた盤面４内には、複数の通常入賞孔６と、始動入賞孔８と、打球の受け入れ状態を変動可能な電気役物７ａと、この電気役物７ａ内に配置された特賞用入賞孔７と、３個の数字列ドラムの組合せによる動作を行わせるルーレット５と、リーチ回数表示部３９と、特賞回数表示部４１と、
　前記始動入賞孔８への打球の入賞を条件に、動作を開始させ、ルーレット５に複数の数字を変動表示させ、その後、２列分の数字列ドラムを停止させた後に所定の遅れ時間が経過したときに残りの数字列ドラムを停止させ、停止表示された複数の停止数字が特定値に揃った場合には、前記電気役物７ａを特賞用入賞孔７に対する入賞率が極端に高くなるようにし、特賞状態を開始させる制御回路４５とを備えたパチンコゲーム機において、
　上記制御回路４５には、リーチ状態の発生回数を記憶し、特賞状態の終了に伴いその計数値ＲＮを初期化するリーチ回数用の内部カウンタと、特賞状態が発生した回数を記憶する特賞回数用の内部カウンタとを備え、
　前記リーチ回数表示部３９には、特賞状態の終了ごとに区分してリーチ状態の発生回数を表示するとともに、前記特賞回数表示部４１には、特賞状態が発生した回数を表示するようにしたパチンコゲーム機。」
　　　
４．対比及び判断
（１）対比
　本願発明と引用発明とを対比すると、引用発明における「盤面４」、「通常入賞孔６」、「始動入賞孔８」、「電気役物７ａ」、「３個の数字」、「動作」、「ルーレット５」、「特定値に揃った」、「特賞用入賞孔７に対する入賞率が極端に高くなるようにし」、「特賞状態」、「制御回路４５」、「パチンコゲーム機」、「リーチ回数用の内部カウンタ」、「特賞回数用の内部カウンタ」は、それぞれ、本願発明における「遊技部」、「一般入賞口」、「始動口」、「変動入賞装置」、「複数の図柄」、「特別遊技」、「画像表示装置」、「予め設定された当り図柄の組合せに一致した」、「遊技者に有利な状態に変動し」、「大当り遊技」、「電気的制御装置」、「弾球遊技機」、「リーチ回数記憶手段」、「大当たり回数記憶手段」に相当する。
　そして、引用発明における「特賞用入賞孔７」は、本願発明における「継続入賞口」と対比して、「入賞口」として共通する。
　また、引用発明における「２列分の数字列ドラムを停止させた後に所定の遅れ時間が経過したときに残りの数字列ドラムを停止させ」ることは、弾球遊技機の技術分野の一般常識によれば、本願発明における「複数の変動図柄を順次、停止表示させ」ることに相当することが明らかである。
　さらに、引用発明における「リーチ回数表示部３９及び特賞回数表示部４１」は、本願発明における「大当り達成割合の演算結果を表示する画像表示装置」と対比して、「大当りの発生状況に係る遊技データを表示する表示手段」として共通する。
　そうすると、本願発明と引用発明の両者は、以下の点でそれぞれ、一致ならびに相違するものと認められる。
　一致点「ガイドレールで囲まれた遊技部内には、複数の一般入賞口と、始動口と、打球の受け入れ状態を変動可能な変動入賞装置と、この変動入賞装置内に配置された入賞口と、複数の図柄の組合せによる特別遊技を行わせる画像表示装置と、大当りの発生状況を表示する表示手段と、
　前記始動口への打球の入賞を条件に、特別遊技を開始させ、画像表示装置に複数の図柄を変動表示させ、その後、複数の変動図柄を順次、停止表示させ、停止表示された複数の停止図柄が予め設定された当たり図柄の組合せに一致した場合には、前記変動入賞装置を遊技者に有利な状態に変動し、大当たり遊技を開始させる電気的制御装置とを備えた弾球遊技機において、
　上記電気的制御装置には、リーチ状態の発生回数を記憶するためのリーチ回数記憶手段と、大当たり図柄が発生した回数を記憶するための大当たり回数記憶手段とを備え、
　前記表示手段には、大当りの発生状況に係る遊技データを表示する弾球遊技機。」
　相違点Ａ．変動入賞装置による大当たり遊技を、本願発明は、前記変動入賞装置内に配置された継続入賞口への打球の入賞を条件に所定回数継続させる構成であるのに対し、引用発明は、該構成のものか明らかではない点。
　相違点Ｂ．本願発明は、電気的制御装置には、リーチ状態の発生回数と大当たりの発生回数との割合を演算する大当り達成割合演算手段を備え、特別遊技を行わせる画像表示装置には、大当たりが発生した場合に、前記大当たり達成割合演算手段による演算結果を表示するとともに、表示した演算結果に基づく表示内容の解説を表示する大当たり達成割合表示画面を備える構成であるのに対し、引用発明は、前記大当り達成割合演算手段を備えておらず、特別遊技を行わせる画像表示装置とは別のリーチ回数表示部３９及び特賞回数表示部４１に所定のリーチ回数及び特賞回数を表示する点。
　　　
（２）判断
　i．相違点Ａについて
　弾球遊技機の技術分野において、変動入賞装置内に継続入賞口を配置し、大当たり遊技を前記継続入賞口への打球の入賞を条件に所定回数継続させる技術は、周知（例えば、特開平２−１２４１９２号公報参照。以下、「周知技術Ａ」という。）であるから、引用発明において、前記周知技術Ａを採用して、前記相違点Ａに係る本願発明の構成のようにすることは、当業者が容易に想到できるものである。
　ii．相違点Ｂについて
　引用発明は、該発明を認定した引用例の段落【０００３】、【０００４】、【００３３】、【００５１】の記載によれば、所定の確率で特賞状態である大当たりが発生する弾球遊技機において、該大当たりが発生するときの指標となる遊技データとして、前回に大当たりが発生したときからの実際の遊技の動作履歴であるリーチ状態の発生回数及び始動入賞孔への入賞回数を表示することにより、遊技者が弾球遊技機を選択するときの目安を示すとともに、興趣の向上を図るものであるところ、弾球遊技機の特性である大当たりの発生の指標となる遊技データを大当たりの発生回数に基づいて統計的に示す技術は、周知（例えば、始動回数に対する大当たり回数の比である大当り確率を演算して表示する技術として特開平５−１４６５５２号公報、大当たりが発生する間の平均スタート回数及び平均打ち込み球数を演算して表示する技術として特開平５−２４５２６６号公報参照。以下、「周知技術Ｂ１」という。）である。
　ところで、弾球遊技機の技術分野において、遊技者の利便性並びに興趣の向上を図るために現在の遊技状況に係る遊技データあるいは該遊技状況に応じた解説を複数の図柄の組合せによる特別遊技を行わせる画像表示装置に表示する技術は、周知（例えば、特開平２−１２４１９２号公報、特開平２−１７４８７９号公報、特開平５−４９７２８号公報、特開平５−１１１５６９号公報、特開平５−３４５０６８号公報参照。以下、「周知技術Ｂ２」という。）である。
　そうすると、遊技状況に係る遊技者の利便性並びに興趣の向上を図ることを課題に、引用発明に示される、リーチ状態の発生回数と大当たり回数を表示する技術について、前記周知技術Ｂ１に示される、大当たりの発生の指標となる遊技データを大当たりの発生回数に基づいて統計的に示す技術、及び、前記周知技術Ｂ２に示される、現在の遊技状況に係る遊技データあるいは該遊技状況に応じた解説を特別遊技を行わせる画像表示装置に表示する技術を採用して、大当たりが発生した場合に、特別遊技を行わせる画像表示装置にリーチ状態の発生回数と大当たりの発生回数との割合及びその解説を表示するようにして、前記相違点Ｂに係る本願発明の構成のようにすることは、当業者が容易に想到できるものである。
　iii．作用効果について
　本願発明の作用効果は、引用発明及び前記周知技術に基づいて当業者が容易に予測できるものである。
　iv．まとめ
　よって、本願発明は、引用発明及び前記周知技術に基づいて、当業者が容易に発明をすることができたものであるから、特許法第２９条第２項の規定により特許を受けることができない。
　　　　
５．むすび
　以上のとおり、本願発明は、引用例に記載された発明（引用発明）及び前記周知技術に基づいて、当業者が容易に発明をすることができたものであるから、特許法第２９条第２項の規定により特許を受けることができない。
　よって、結論のとおり審決する。